(57)【特許請求の範囲】
【請求項１】
門型に形成された洗車機本体に洗浄機構を設けレール上を往復走行して自動車を洗浄する洗車機と、前記洗車機本体の内側に設けられ洗浄状態を撮影する内部カメラと、前記洗車機本体から露出した自動車を撮影する外部カメラと、前記洗車機本体の移動量を検知する移動センサと、前記洗車機本体内に配置され洗車工程に基づく前記洗浄機構、移動センサによる往復走行及び前記内部カメラ及び外部カメラの各部を制御する洗車機制御装置と、前記洗車機制御装置からの洗車工程及び内部カメラ及び外部カメラからの信号を受信して洗車状態を表示する洗車状態表示器を有する表示制御装置とを備えたことを特徴とする給油所の洗車装置。
【請求項２】
前記洗車状態表示器には、前記洗車機制御装置から受信する洗車工程を表示する洗車工程表示領域と、前記内部カメラ及び外部カメラを選択的に切り換えて表示する洗車状態表示領域とを有することを特徴とする請求項1記載の給油所の洗車装置。
【請求項３】
前記洗車状態表示器は、複数の洗車機の洗車状態が領域を分割して表示することを特徴とする請求項1記載の給油所の洗車装置。
【発明の詳細な説明】
【０００１】
【発明の属する技術分野】
本発明は、洗車工程及び洗車状況を表示する状態表示器を備える給油所の洗車装置に関するものである。
【０００２】
【従来の技術】
一般に、給油所においては、給油中または洗車待ちの顧客のために事務所内に販売コーナー、あるいは休憩コーナーが設けられている所がある。このような給油所の洗車装置は、敷地のレイアウトにもよるが事務所の側面側に配置されていることが多い。
【０００３】
【発明が解決しようとする課題】
従来の給油所における洗車装置は、事務所の側面側に配置されていることが多いため、自分の自動車がどのように洗車されているか見ることができなかった。また、事務所内では洗車工程がどこまで進んでいるかを把握することができないため、販売コーナー等で買い物に夢中になって洗車装置の稼働効率を悪くするおそれがあった。さらに、洗車装置による洗浄を好まない顧客に対し、その先入観を取り除いたり、あるいは洗浄効果を有効に宣伝する手段がなかった。
【０００４】
本発明は上記事情に鑑みなされたもので、洗車工程及び洗車状況を視覚的に知らせることができる給油所の洗車装置を提供することを目的とする。
【０００５】
【課題を解決するための手段】
上記目的を達成するために請求項１に記載の発明にあっては、門型に形成された洗車機本体に洗浄機構を設けレール上を往復走行して自動車を洗浄する洗車機と、前記洗車機本体の内側に設けられ洗浄状態を撮影する内部カメラと、前記洗車機本体から露出した自動車を撮影する外部カメラと、前記洗車機本体の移動量を検知する移動センサと、前記洗車機本体内に配置され洗車工程に基づく前記洗浄機構、移動センサによる往復走行及び前記内部カメラ及び外部カメラの各部を制御する洗車機制御装置と、前記洗車機制御装置からの洗車工程及び内部カメラ及び外部カメラからの信号を受信して洗車状態を表示する洗車状態表示器を有する表示制御装置とを備えたことを特徴とするものである。洗車工程及び洗車状況を視覚的に知らせることができ、洗車装置の稼働率を向上し、洗車装置による洗浄を好まない顧客に対し、その先入観を取り除いたり、あるいは洗浄効果を有効に宣伝できる。
【０００６】
請求項２に記載の発明にあっては、前記洗車状態表示器には、前記洗車機制御装置から受信する洗車工程を表示する洗車工程表示領域と、前記内部カメラ及び外部カメラを選択的に切り換えて表示する洗車状態表示領域とを有することを特徴とするものである。洗車工程に応じて洗車状況を把握することができる。
【０００７】
請求項３に記載の発明にあっては、前記洗車状態表示器は、複数の洗車機の洗車状態が領域を分割して表示することを特徴とするものである。１つの画面により複数の表示が自動的にできる。
【０００８】
【発明の実施の形態】
以下、本発明を図示の一実施形態により具体的に説明する。図１〜図３は本発明実施形態の給油所の洗車装置を説明する図であり、図１は洗車装置の斜視図、図２は洗車装置の構成を説明するブロック図、図３は洗車状態表示器の表示画面を説明する図である。
【０００９】
これらの図において、本実施形態の給油所の洗車装置１は、例えば、スプレー式門型の洗車機１０と、この洗車機１０の洗車工程及び洗車状況を表示するための表示制御装置３０とから構成されている。
【００１０】
洗車機１０は、２つの脚体１２ａ及びその上部間に設けられた上部ハウジング１２ｂを有し、全体として自動車を跨ぐ形状の門型に形成された洗車機本体１２が、給油所の敷地に配置された２本のレール１１，１１上を走行するよう構成されている。この洗車機本体１２は、その内部に走行駆動用のモータ１３が配置され、このモータ１３に連動して駆動される洗車機１０の移動量を計測する移動センサ１５が設けられ、内面側には洗浄液や水等を噴射するスプレーノズルあるいは自動車の表面に付着した洗浄液や水を吹き飛ばすブロワノズル等を有する洗浄機構１４が設けられている。また、洗車機本体１２には、その一方の脚体１２ａの正面側にスタートボタン、ストップボタンあるいは各種操作を行うためのボタン等を有するキーボード１６が設けられ、内面側上部には後に説明する水洗い工程、シャンプー工程あるいは乾燥工程中における洗車状態を撮影する内部カメラ１７が設けられ、正面の外面側の上部には露出した自動車の手洗い工程中における洗車状態を撮影する外部カメラ１８が設けられ、かつ内部には洗車機制御装置１９等が設けられている。内部カメラ１７及び外部カメラ１８は、水しぶきや結露が付かないようワイパーを設けたり、ブロワーを吹き付けるようになっていることが好ましい。この洗車制御装置１９は、各部を制御するとともに後に説明する表示制御装置３０へ洗車工程あるいは洗車状況に関する信号を送信する。さらに、洗車機１０には、手洗い工程に使用する補助リンス装置２０がホース支持アーム２１により移動自在に取り付けられている。
【００１１】
補助リンス装置２０は、洗車機本体１２内に設けられた図示しないポンプを備える給水源に接続された第１のホース２２が洗車機本体１２の頂部に導出され、さらにホース支持アーム２１により水平に案内され、その先端部から第２のホース２３が接続されて洗車機本体１２の側面側に吊り下げられ、この第２のホース２３の先端部に洗車具２４が接続されている。この洗車具２４は、水を収納する容器状で小孔を形成した底部側が柔軟な布材等で覆われ、第1及び第2のホース２２，２３を通して供給される水により自動車の表面を手洗いできるようになっている。
【００１２】
ホース支持アーム２１は、洗車機本体１２の一方側（左側）の前側上部に回動自在に取り付けられた軸２５に水平な補強板２６が設けられ、この補強板２６の上部に第１のホース２２を案内するパイプ２７が取り付けられている。このパイプ２７は、先端側が他方側（右側）の洗車機本体１２の上部をやや越える位置まで延出される長さに形成されている。このホース支持アーム１９は、軸２５を中心に回動させることで、洗車機本体１２の前側に位置する自動車へ洗車具２４を自由に移動させることができるようになっている。
【００１３】
表示制御装置３０は、例えば、事務所内に配置された販売管理装置等からなり、洗車機制御装置１９に信号線２８を介して接続された通信制御部３１と、表示制御部３２と、表示操作のためのボタン等を配置した操作パネル３３と、表示制御部３２に信号線３５で接続された洗車状態を表示するための洗車状態表示器３４等とから構成されている。表示制御部３２は、操作パネル３３の操作により、洗車機制御装置１９から信号線２８を介して送信されてくる洗浄工程に関する信号、内部カメラ１７及び外部カメラ１８の映像信号を通信制御部３１を介して受信し、洗車状態表示器３０の表示を制御する部分である。
【００１４】
洗車状態表示器３４は、事務所内の壁面等に取り付けられる大型の液晶等の表示器からなり、その表示画面は、図3に示すように、洗車工程を表示する洗車工程表示領域３６と、洗車状態を映し出す洗車状態表示領域３７を有し、それぞれ複数の洗車機１０がある場合には、洗車機１０の番号（１，２等）に応じて分割して表示される。洗車工程表示領域３６では、洗車機１０のキーボード１６で選択された洗車工程を示す、洗車開始、水洗い中、シャンプー中、手洗い中、水洗い中、乾燥中、洗車終了等の文字３６ａと、それらの上部のランプ３６ｂとが表示される。洗車状態表示領域３７では、工程に対応して内部カメラ１７あるいは外部カメラ１８で撮影した洗車状態を選択的に切り換えて映し出す。
【００１５】
次に、上記構成の給油所の洗車装置１の動作を説明する。まず、洗車する自動車を所定の位置に配置した後、キーボード１６のスタートボタンを押すと、洗車が開始し、その開始信号が洗車機制御装置１９から表示制御装置３０へ送信され、洗車状態表示器３４の洗車工程表示領域３６の洗車開始のランプ３６ｂが点灯する。このランプ３６ｂの点灯は、表示制御装置３０の制御に基づいて一定時間後に消灯する。洗車開始により、洗車機本体１２はモータ１３に駆動されてレール１１，１１上の往路を走行し同時に洗浄機構１４による水洗い工程が開始する。洗車開始のランプ３６ｂが消灯した後、水洗い中のランプ３６ｂが点灯し、同時に内部カメラ１７による水洗い中の映像が洗車機制御装置１９から表示制御装置３０へ送信され、洗車状態表示器３４の洗車状態表示領域３７に映し出される。そして、水洗い中のランプ３６ｂは、移動センサ１５が往路の端部に達したことを検知したときに消灯する。次に、洗車機１０は、洗車機制御装置１９の制御の元に、洗車機本体１２が復路を走行開始し同時に洗浄機構１４によるシャンプー工程が開始し、シャンプー開始工程の信号を表示制御装置３０へ送信する。表示制御装置３０は、洗車状態表示器３４の洗車工程表示領域３６の水洗い中のランプ３６ｂが消灯後に、シャンプー中のランプ３６ｂを点灯し、同時に内部カメラ１７のシャンプー中の映像を同様にして洗車状態表示領域３７に映し出す。そして、シャンプー中のランプ３６ｂは、移動センサ１５が復路の端部に達したことを検知したときに消灯し、同時に洗車状態表示領域３７のシャンプー中の映像は外部カメラ１８による映像に切り換えられる。
【００１６】
次に、表示制御装置３０は、洗車状態表示器３４の洗車工程表示領域３６のシャンプー中のランプ３６ｂが消灯後に、手洗い中のランプ３６ｂを点灯する。続いて、補助リンス装置２０により手洗いを行っている外部カメラ１８の映像は、同様にして洗車状態表示領域３７に映し出される。そして、手洗い作業終了後にキーボード１９の再スタートボタンを押すと、手洗い中のランプ３６ｂが消灯し、同時に洗車状態表示領域３７の手洗い中の映像は内部カメラ１７による映像に切り換えられる。
【００１７】
次に、表示制御装置３０は、洗車状態表示器３４の洗車工程表示領域３６の手洗い中のランプ３６ｂが消灯後に、水洗い中のランプ３６ｂを点灯する。そして、洗車機１０は、洗車機制御装置１９の制御の元に、洗車機本体１２が往路を走行開始し同時に洗浄機構１４による水洗い工程を開始し、水洗い工程の信号を表示制御装置３０へ送信する。表示制御装置３０は、洗車状態表示器３４の洗車工程表示領域３６の水洗い中のランプ３６ｂの点灯中に内部カメラ１７の水洗い中の映像を洗車状態表示領域３７に映し出す。そして、水洗い中のランプ３６ｂは、移動センサ１５が往路の端部に達したことを検知したときに消灯する。次に、表示制御装置３０は、水洗い中のランプ３６ｂが消灯後に、同様にして乾燥中のランプ３６ｂを点灯する。そして、洗車機１０は、洗車機制御装置１９の制御の元に、洗車機本体１２が復路を走行開始し同時に洗浄機構１４による乾燥工程を開始し、乾燥工程の信号を表示制御装置３０へ送信する。表示制御装置３０は、乾燥中のランプ３６ｂの点灯中に内部カメラ１７の乾燥中の映像を洗車状態表示領域３７に映し出す。そして、乾燥中のランプ３６ｂは、移動センサ１５が復路の端部に達したことを検知したときに消灯する。次に、乾燥中のランプ３６ｂが消灯後、表示制御装置３０の制御に基づいて、洗車終了のランプ３６ｂが点灯し、一定時間経過後に消灯し、同時に内部カメラ１７による洗車状態表示領域３７の映像は次の洗車に備えて消える。
【００１８】
上記構成の給油所の洗車装置１では、洗車機１０の走行による水洗い工程、シャンプー工程、乾燥工程中においては、洗車状態表示器３４の洗車工程表示領域３６のそれぞれの工程のランプ３６ｂを順次点灯するとともに、洗車機本体１２の内部に設けた内部カメラ１７で映し出したそれぞれの工程中の映像を洗車状態表示領域３７に表示し、また洗車機１０の走行を停止した手洗い工程中においては、同様に洗車工程表示領域３６の手洗い工程のランプ３６ｂを点灯するとともに、洗車機本体１２の外部に設けた外部カメラ１８で映し出した手洗い工程中の映像を洗車状態表示領域３７に表示するため、事務所内でも自分の自動車がどのように洗車されているか映像で見ることができ、また、洗車工程がどこまで進んでいるかを把握することができる。したがって、洗車装置の稼働効率を向上することができ、さらに、洗車装置による洗浄を好まない顧客に対し、その先入観を取り除いたり、あるいは洗浄効果を有効に宣伝することができる。
【００１９】
なお、上記実施形態において、スプレー式門型の洗車機１０を例に説明したが、任意の洗車機に適用することができ、また洗車工程あるいはその洗車状態表示器３４による表示も一例であり実施形態に限定されない。また、外部カメラ１８を洗車機本体１２に設けたが、手洗い工程が良く見える外部の壁面あるいは柱等の固定位置に設けてもよい。さらに、洗車状態表示器３４は、事務所内以外の場所に設置することもできる。
【００２０】
【発明の効果】
以上説明したように本発明の給油所の洗車装置では、門型に形成された洗車機本体に洗浄機構を設けレール上を往復走行して自動車を洗浄する洗車機と、洗車機本体の内側に設けられ洗浄状態を撮影する内部カメラと、洗車機本体から露出した自動車を撮影する外部カメラと、洗車機本体の移動量を検知する移動センサと、洗車機本体内に配置され洗車工程に基づく洗浄機構、移動センサによる往復走行及び内部カメラ及び外部カメラの各部を制御する洗車機制御装置と、洗車機制御装置からの洗車工程及び内部カメラ及び外部カメラからの信号を受信して洗車状態を表示する事務所内に配置された洗車状態表示器を有する表示制御装置とを備えたことで、洗車工程及び洗車状況を視覚的に知らせることができ、洗車装置の稼働率を向上し、洗車装置による洗浄を好まない顧客に対し、その先入観を取り除いたり、あるいは洗浄効果を有効に宣伝できる。
【図面の簡単な説明】
【図１】本発明実施形態の洗車装置の斜視図である。
【図２】本発明実施形態の洗車装置の構成を説明するブロック図である。
【図３】本発明実施形態の洗車状態表示器の表示画面を説明する図である。
【符号の説明】
１  給油所の洗車装置
１０  洗車機
１１  レール
１２  洗車機本体
１２ａ  脚体
１２ｂ  上部ハウジング
１３  モータ
１４  洗浄機構
１５  移動センサ
１６  キーボード
１７  内部カメラ
１８  外部カメラ
１９  洗車機制御装置
２０  補助リンス装置
２１  ホース支持アーム
２２  第１のホース
２３  第２のホース
２４  洗車具
２５  軸
２６  補強板
２７  パイプ
２８  信号線
３０  表示制御装置
３１  通信制御部
３２  表示制御部
３３  操作パネル
３４  洗車状態表示器
３５  信号線
３６  洗車工程表示領域
３６ａ  文字
３６ｂ  ランプ
３７  洗車状態表示領域
【図１】
0003719495.tif 000002
【図２】
0003719495.tif 000003
【図３】
0003719495.tif 000004